(57)【要約】【課題】機器に記憶された特定の項目に対応する情報を、バックアップが許可された記録媒体にバックアップすることである。【解決手段】情報記録装置としてのＰＣ２０において、制御部２１１により、Ｉ／Ｆ２７に接続された記録媒体としてのメモリキー６０に、特定の項目に対応する情報としての特定情報のバックアップを許可するための認証情報が記録されているか否かが判別され、当該認証情報が記録されている場合に、当該認証情報に対応する特定情報を、記憶部としてのＨＤＤ２５から読み出してメモリキー６０に記録してバックアップする。【選択図】図３
2005165507.tif 000002
【特許請求の範囲】
【請求項１】
情報を記憶する記憶部を備え、当該記憶部に記憶された情報を記録媒体へ記録する情報記録装置において、
前記記録媒体は、外部機器が記憶する特定の項目に対応する情報としての特定情報を当該記録媒体にバックアップすることを許可するための認証情報が記録可能であり、
前記記録媒体に記録された情報の読み出し、及び前記記録媒体への情報の書き込みをする情報読み書き部と、
前記情報読み書き部に前記記録媒体に記録された情報を読み出させ、前記認証情報が前記記録媒体に記録されているか否かを判別し、前記認証情報が記録されている場合に、当該認証情報に対応する前記特定情報を前記記憶部から読み出して、当該特定情報を、前記情報読み書き部に前記記録媒体へ記録させる制御部と、を備えることを特徴とする情報記録装置。
【請求項２】
前記記憶部には、前記特定情報が所定領域に記憶され、
前記制御部は、前記認証情報に対応する前記特定情報を、前記情報読み書き部に前記記憶部の前記所定領域から読み出させることを特徴とする請求項１に記載の情報記録装置。
【請求項３】
情報を記録する記録領域を備える記録媒体において、
外部機器に記憶される特定の項目に対応する情報を当該記録媒体にバックアップすることを許可するための認証情報が前記記録領域に記録されることを特徴とする記録媒体。
【請求項４】
情報を記憶する記憶部を備える機器に搭載されたコンピュータに、
記録媒体に記録された情報を読み出し、外部機器が記憶する特定の項目に対応する情報としての特定情報を前記記録媒体にバックアップすることを許可するための認証情報が、前記記録媒体に記録されているか否かを判別し、前記認証情報が記録されている場合に、当該認証情報に対応する前記特定情報を前記記憶部から読み出して、当該特定情報を前記記録媒体へ記録する機能を実現させるためのプログラム。
【請求項５】
前記記憶部には、前記特定情報が所定領域に記憶され、
前記認証情報に対応する前記特定情報の読み出しを、前記記憶部の前記所定領域から行うことを特徴とする請求項４に記載のプログラム。
【発明の詳細な説明】
【技術分野】
【０００１】
本発明は、情報を記録媒体に記録する情報記録装置、その記録媒体及びプログラムに関する。
【背景技術】
【０００２】
従来、ＰＣ（Personal Computer）などの機器に内蔵のハードディスクに記憶された情報を、バックアップのためにＣＤ−Ｒ（CD-Recordable）などの外部記録媒体に記録することが行われていた。
【０００３】
また、情報のバックアップに関して、電子カメラが充電可能にセットされ、当該電子カメラの充電時に、当該電子カメラに記憶されたデータを自動的に記録媒体に記録してバックアップする情報記録装置が考えられている（例えば、特許文献１参照）。
【特許文献１】特開平８−６９６８４号公報
【発明の開示】
【発明が解決しようとする課題】
【０００４】
しかし、従来の構成では、バックアップの外部機器としてのＰＣ側に記憶された情報のうち、特定の項目の情報のみを記録媒体にバックアップして記録させたい場合に、操作者が手入力により特定の種類の情報を抽出しなければならないので、操作者の負担が大きくなるおそれがあった。
【０００５】
また、従来の電子カメラ内のデータのバックアップを行う情報記録装置では、電子カメラ内の情報を記録媒体に自動的にバックアップすることができるものの、電子カメラ内の特定の項目に対応する情報のみを記録媒体に記録してバックアップすることができなかった。加えて、情報のバックアップを許可された記録媒体のみに、情報をバックアップすることができなかった。
【０００６】
本発明の課題は、機器に記憶された特定の項目に対応する情報を、バックアップが許可された記録媒体にバックアップすることである。
【課題を解決するための手段】
【０００７】
以上の課題を解決するために、請求項１に記載の発明は、情報を記憶する記憶部を備え、当該記憶部に記憶された情報を記録媒体へ記録する情報記録装置において、
前記記録媒体は、外部機器が記憶する特定の項目に対応する情報としての特定情報を当該記録媒体にバックアップすることを許可するための認証情報が記録可能であり、
前記記録媒体に記録された情報の読み出し、及び前記記録媒体への情報の書き込みをする情報読み書き部と、
前記情報読み書き部に前記記録媒体に記録された情報を読み出させ、前記認証情報が前記記録媒体に記録されているか否かを判別し、前記認証情報が記録されている場合に、当該認証情報に対応する前記特定情報を前記記憶部から読み出して、当該特定情報を、前記情報読み書き部に前記記録媒体へ記録させる制御部と、を備えることを特徴とする。
【０００８】
請求項２に記載の発明は、請求項１に記載の情報記録装置において、
前記記憶部には、前記特定情報が所定領域に記憶され、
前記制御部は、前記認証情報に対応する前記特定情報を、前記情報読み書き部に前記記憶部の前記所定領域から読み出させることを特徴とする。
【０００９】
請求項３に記載の発明は、情報を記録する記録領域を備える記録媒体において、
外部機器に記憶される特定の項目に対応する情報を当該記録媒体にバックアップすることを許可するための認証情報が前記記録領域に記録されることを特徴とする。
【００１０】
請求項４に記載の発明は、情報を記憶する記憶部を備える機器に搭載されたコンピュータに、
記録媒体に記録された情報を読み出し、外部機器が記憶する特定の項目に対応する情報としての特定情報を前記記録媒体にバックアップすることを許可するための認証情報が、前記記録媒体に記録されているか否かを判別し、前記認証情報が記録されている場合に、当該認証情報に対応する前記特定情報を前記記憶部から読み出して、当該特定情報を前記記録媒体へ記録する機能を実現させるためのプログラムである。
【００１１】
ここに、コンピュータとは、バスで接続されたＣＰＵ、ＲＯＭ、ＲＡＭ及びＩ／Ｏを基本構成とする装置であって、マイクロコンピュータ、マイクロプロセッサ等を含み、その組み込み先装置の如何（例えばパソコン（ＰＣ）、ＤＶＤ（Digital Versatile Disc）プレーヤ、ＤＶＤレコーダ、ゲーム機、ポータブルＣＤ−Ｒライタなど）を問わない。したがって、本発明にかかるプログラムは上記コンピュータのＲＯＭに格納され、ＣＰＵの統括的制御下においてＲＡＭに展開され、実行に供されるものであるから、本発明のコンピュータプログラムの技術的範囲は、当該プログラムが搭載されたコンピュータの格納先の装置に及ぶものである（以下同様）。
【００１２】
請求項５に記載の発明は、請求項４に記載のプログラムにおいて、
前記記憶部には、前記特定情報が所定領域に記憶され、
前記認証情報に対応する前記特定情報の読み出しを、前記記憶部の前記所定領域から行うことを特徴とする。
【発明の効果】
【００１３】
請求項１又は４に記載の発明によれば、認証情報が記録媒体に記録されている場合に、当該認証情報に対応する特定情報を記憶部から読み出して記録媒体へ記録するので、特定の項目に対応する情報を記憶部から容易に読み出してバックアップが許可された記録媒体に自動的にバックアップすることができる。
【００１４】
請求項２又は５に記載の発明によれば、認証情報に対応する特定情報を記憶部の所定領域から読み出すので、特定の項目に対応する情報をさらに容易に読み出すことができる。
【００１５】
請求項３に記載の発明によれば、認証情報が記録されるので、特定の項目に対応する情報を外部機器にバックアップ指示することができる。
【発明を実施するための最良の形態】
【００１６】
以下、添付図を参照して本発明に係る実施の形態を詳細に説明する。ただし、発明の範囲は、図示例に限定されない。
【００１７】
図１〜図５を参照して、本発明に係る第１の実施の形態を説明する。先ず、図１及び図２を参照して本実施の形態の装置の特徴を説明する。図１に、本実施の形態の画像撮影システム１００Ａの構成を示す。図２に、画像撮影装置１０Ａの内部構成を示す。
【００１８】
従来、一般のユーザがデジタルカメラなどにより撮影した画像データを、ＰＣに取り込んで、複数の画像を自在に閲覧できる電子アルバムを作成してＰＣに保存していた。しかし、ＣＤ−Ｒなどの記録媒体に電子アルバムを記録して保存する場合、記録媒体に画像データを記録しても、当該記録媒体側に画像再生プログラムがないため、ＰＣ側で電子アルバム用の画像再生プログラムを用意しなければ、電子アルバムとして画像再生ができないおそれがあった。特に、電子アルバム用の画像再生プログラムを用意するのは、ユーザの手間がかかり大変面倒であった。
【００１９】
このため、画像再生プログラムなどのデフォルトデータのみが予め記録してあるブランク記録媒体を販売するサービスが考えられている。画像再生プログラムには、静止画や動画の画像データを表示再生する機能や、これらの画像データの再生とともに音楽データを出力する機能などを有する。例えば、ユーザにより撮影された撮影された画像データを当該ブランク記録媒体に記録すると、当該画像データと、当該画像データを再生する画像再生プログラムとが記録される、電子アルバムとしての記録媒体が生成される。当該電子アルバムとしての記録媒体は、画像再生プログラムを用意しなくても当該記録媒体を読み込み可能なＰＣで画像データが再生可能となる。
【００２０】
デフォルトデータとしては、画像データ再生プログラムのほかに、画像データを所定時間間隔で連続して再生するスライドショープログラム、記録画像データのプリント紙へのオーダを行うためのプリントオーダプログラム、画像データに色補正、濃度補正、彩度補正、画像回転、トリミングなどの加工を施す画像加工プログラム、画像データを編集する画像編集プログラムなどが含まれることとしてもよい。プリントオーダは、例えば、電子アルバムが記録された記録媒体がセットされた機器からインターネットなどの通信ネットワークを介してプリント業者のサーバに、ユーザにより入力されたオーダ情報を送信する。オーダしたユーザは、郵送などによりプリント業者からプリント写真を受け取る。
【００２１】
このデフォルトデータが予め記録してあるブランク記録媒体を用いて作成される電子アルバムを、以下、特定電子アルバムと呼ぶ。本実施の形態は、一例として、特定電子アルバムに関する実施の形態として説明する。また、以下、特定電子アルバムのブランク記録媒体とは、デフォルトデータのみが記録された記録媒体のことをさすものとする。同様に、特定電子アルバムの記録媒体とは、デフォルトデータと、再生する画像データとが記録された記録媒体のことをさすものとする。
【００２２】
先ず、図１〜図３を参照して、特定電子アルバムの作成の概要を簡単に説明する。図１に、特定電子アルバム記録システム１００の構成を示す。本実施の形態の入力データ記録装置１０は、スマートメディア、コンパクトフラッシュ（登録商標）、メモリースティック（登録商標）、ＳＤメモリカード、マルチメディアカードなどの画像データが記録された記録カードＭを装填する入力用メディア装填部１１と、写真フィルムをスキャンして得られた画像データなどが記録された入力用記録媒体Ｄ１を装填する入力用記録媒体装填部１２と、デジタルカメラＣ１やカメラ付き携帯電話機Ｃ２などの撮影機器（以下、カメラ機能を備えたデジタル機器を撮影機器と呼ぶ。）から有線又は無線、赤外線等によって画像データを読み取るための機器接続部１３と、必要に応じて、通信ネットワークＮを介して他のコンピュータ機器やサーバＳと接続するためのネットワーク接続部などのデータ入力手段と、これらの記録カードＭ、記録媒体Ｄ１、撮影機器Ｃ１，Ｃ２から読み込んだ画像データを記録する特定電子アルバムのブランク記録媒体を装填する出力用記録媒体装填部１４と、スライドショーの設定などの操作を行う操作部１６及び表示部１５とを備えて構成される。
【００２３】
撮影機器としては、デジタルムービーカメラなどとしてもよい。また、特定電子アルバムのブランク記録媒体に記録される画像データは、静止画及び動画の画像データのうちの少なくとも１つである。また、特定電子アルバムのブランク記録媒体は、ＣＤ−Ｒ、ＤＶＤ−Ｒ、青色レーザを用いる大容量情報記録媒体としてのブルーレイディスクなどの記録媒体にデフォルトデータが記録されている。
【００２４】
先ず、入力データ記録装置１０は、写真館、コンビニエンスストアなどの店舗に設置される。顧客は、撮影した画像データが記録される記録カードＭ、記録媒体Ｄ１、デジタルカメラＣ１又はカメラ付き携帯電話機Ｃ２を持ち込み、また、特定電子アルバムのブランク記録媒体を購入する。特定電子アルバムのブランク記録媒体は、他の店舗などで購入してもよい。入力データ記録装置１０において、記録カードＭ、記録媒体Ｄ１、デジタルカメラＣ１又はカメラ付き携帯電話機Ｃ２が、入力用メディア装填部１１、入力用記録媒体装填部１２又は機器接続部１３にセットされて、画像データが入力される。また、特定電子アルバムのブランク記録媒体が出力用記録媒体装填部１４にセットされる。
【００２５】
そして、表示部１５に表示される設定画面が参照され、顧客によるスライドショーの設定、新たに記録する音楽データや画像データの選択などの入力が操作部１６から受け付けられる。新たに記録する音楽データや画像データは、通信ネットワークＮを介してサーバＳから入力データ記録装置１０にダウンロードされる。新たに記録する音楽データや画像データを、顧客が予め記録媒体Ｄ１に記録し、当該記録媒体Ｄ１を用いて入力データ記録装置１０に入力する構成としてもよい。
【００２６】
そして、入力データ記録装置１０により、入力された画像データ、音楽データ及び各種設定情報が、特定電子アルバムのブランク記録媒体に記録されて、出力用記録媒体装填部１４から特定電子アルバムの記録媒体Ｄ２として排出される。
【００２７】
ここで、図２を参照して、特定電子アルバムの記録媒体Ｄ２の構造を説明する。図２に、記録媒体Ｄ２の構造を示し、（ａ）に記録媒体Ｄ２のフォルダ構造を示し、（ｂ）に記録媒体Ｄ２の記録領域を示す。図２（ｂ）に示すように、特定電子アルバムの記録媒体Ｄ２は、中心から順に、記録領域ｄ１，ｄ２，ｄ３を有する。記録領域ｄ１には、ＤＶＤプレーヤ、ＤＶＤレコーダ、ゲーム機などのＡＶ機器用の、Ｖｉｄｅｏ−ＣＤ形式、ＤＶＤ−Ｖｉｄｅｏ形式、ＨＤＴＶ（High Definition Television）形式などの画像及び音楽を含む映像データが記録される。ＡＶ機器では、記録媒体の中心から最も内側に記録されたデータでないと読み出せない制約があるためである。
【００２８】
記録領域ｄ１には、図２（ａ）に示すフォルダＲ４及びその格納データが記録される。例えば、画像データをＶｉｄｅｏ−ＣＤ形式用データなどとして関連付けるファイルを格納するフォルダ（VCD）と、ＴＶ画面に表示する画像データを格納するフォルダ（segment）と、静止画像データを元に生成した動画データを格納するフォルダ（MPEGAV）と、各種データを格納するフォルダ（DAT）と、が記録される。
【００２９】
記録領域ｄ２には、オーディオプレーヤなどの機器により再生される音楽データが記録される。記録領域ｄ２には、図２（ａ）に示すフォルダＲ５及びその格納データが記録される。例えばＡｕｄｉｏＣＤ、ＤＶＤＡｕｄｉｏなどの音楽データが記録される。この形式の音楽データは、オーディオプレーヤなどの機器により各曲ごとに検索及び再生することができる。
【００３０】
記録領域ｄ３には、デフォルトデータが予め記録されているとともに、ＰＣ用の画像データ、その画像データのサムネイルやスクリーンネイルの画像データ、及び各種設定情報が記録される。スクリーンネイルとは、例えば、ＳＶＧＡ（Super Video Graphics Array）や、ＸＧＡ（Extended Graphics Array）などの、ＰＣ機器のディスプレイサイズいっぱいに表示可能な大きさの解像度の画像である。
【００３１】
記録領域ｄ３には、図２（ａ）に示すフォルダＲ１，Ｒ１１，Ｒ１２，Ｒ２，Ｒ３及びその格納データが記録される。フォルダＲ１は、ロール分けのフォルダであり、その中に、実画像データと、サムネイル画像データのフォルダＲ１１及びそのサムネイル画像データと、スクリーンネイル画像データのフォルダＲ１２及びそのスクリーンネイル画像データとが格納される。ロールとは、少なくとも１つの画像データを１グループとしてまとめるための単位であり、撮影又は編集日付ごと、所定画像データ数ごと、所定容量単位ごとなどの単位とする。また、画像データとしては、例えば、静止画の画像データとしてのＪＰＥＧ、ＢＭＰ、ＴＩＦＦ、ＧＩＦなどの形式の画像データや、動画の画像データとしてのＡＶＩ、ＭＰＥＧ１、ＭＰＥＧ２、ＭＰＥＧ４、ＷＭＶなどの形式の画像データが用いられる。また、フォルダＲ１と別ロールのフォルダＲ２において、フォルダＲ１と同様の構造により各種画像データが格納される。
【００３２】
フォルダＲ３は、デフォルトデータであり、スライドショープログラム、プリントオーダプログラム、特定電子アルバムの再生や編集などを行う管理プログラムなどが格納される。また、図示しないが、ＷＡＶ、ＭＰ３、ＷＭＡなどの形式の、ＰＣ機器用の音楽データも記録領域ｄ３に記録される。また、各種設定情報も記録領域ｄ３に記録される。
【００３３】
図１に示すように、入力データ記録装置１０は、先ず、入力された画像データ及び音楽データをＡＶ機器用の映像データ形式に変換して、特定電子アルバムのブランク記録媒体に記録領域ｄ１として記録し、音楽データをオーディオデータに変換して、特定電子アルバムのブランク記録媒体に記録領域ｄ２として記録し、画像データ、音楽データ、各種設定情報などが、特定電子アルバムのブランク記録媒体の記録領域ｄ３に記録し、特定電子アルバムの記録媒体Ｄ２を作成する。そして、図１に示すように、特定電子アルバムの記録媒体Ｄ２は、ＰＣ２０、ＤＶＤレコーダ３０、ホームサーバ４０などにより、画像データが電子アルバム形式で再生される。
【００３４】
以上の構成では、入力データ記録装置１０により、特定電子アルバムの記録媒体Ｄ２を作成する構成を述べた。しかしこの構成に限るものではなく、例えば、入力データ記録装置１０がネガフィルムを現像する装置や現像済みの写真フィルムをスキャンして画像情報を読み取る装置等と合体した装置としてもよい。また、特定電子アルバムのブランク記録媒体を用いて、記録媒体に情報を記録するポータブルライタや、卓上型の入力データ記録装置により、同様の動作で、特定電子アルバムの記録媒体Ｄ２を作成することとしてもよい。さらに、顧客が自宅などにあるＰＣ２０により、特定電子アルバムのブランク記録媒体に画像データなどを記録して、特定電子アルバムの記録媒体Ｄ２を作成する構成としてもよい。
【００３５】
ここで、特定電子アルバムの記録媒体Ｄ２の再生装置として、ＰＣ２０を代表して説明する。また、記録媒体Ｄ２の一例としてのＣＤ−Ｒ形式の記録媒体Ｄ３を用いるケースを説明するが、これに限定されるものではない。記録媒体Ｄ３も、記録領域ｄ１，ｄ２，ｄ３を有する構成とする。図３に、情報記録装置としてのＰＣ２０の内部構成を示す。図３に示すように、ＰＣ２０は、ＣＰＵ２１と、操作部２２と、ＲＡＭ２３と、表示部２４と、記憶部としてのＨＤＤ（Hard Disk Drive）２５と、通信部２６と、Ｉ／Ｆ（インタフェース）２７と、情報読み書き部としてのＣＤ−Ｒドライブ２８とを備えて構成され、各部がバス２９により接続される。
【００３６】
ＣＰＵ２１は、ＰＣ２０内の各部を中央制御する。ＣＰＵ１１は、ＨＤＤ２５に記憶されている各種プログラムの中から指定されたプログラムをＲＡＭ２３のワークエリアに適宜展開し、ＲＡＭ２３上のプログラムとの協働により各種制御を実行する。この構成における各種制御の主体を制御部２１１とする。
【００３７】
操作部２２は、各種機能キーなどを備えたキーボード及びマウスなどを含み、操作者により操作入力されたキー入力信号やマウス位置信号をＣＰＵ２１に出力する。ＲＡＭ２３は、各種データや各種プログラムなどを一時的に格納するワークエリアを有する。表示部２４は、ＬＣＤ（Liquid Crystal Display）などで構成され、ＣＰＵ２１からの表示信号に従って、画面表示を行う。
【００３８】
ＨＤＤ２５は、磁気的な記録媒体（図示せず）を備え、各種プログラム、各種データなどを読出し及び書き込み可能に記憶する。通信部１６は、インターネットなどの通信ネットワークと接続して、当該通信ネットワーク上の機器と情報の送受信を介する。
【００３９】
Ｉ／Ｆ２７は、ＵＳＢ（Universal Serial Bus）などの接続方式によりバックアップ用のメモリキー６０と接続してデータの送受信を介する。メモリキー６０は、電気的に情報が書き換え可能な不揮発性の大容量のフラッシュメモリなどを備えて、Ｉ／Ｆ２７を介してＰＣ２０から受信するデータを当該記録領域に記録する機能とを有する。また、メモリキー６０は、フラッシュメモリの情報の格納状況を、Ｉ／Ｆ２７を介してＰＣ２０に送信する。
【００４０】
さらに、メモリキー６０には、外部機器から自メモリキーへの特定電子アルバムに対応する情報の自動バックアップを許可するための認証ＩＤが記録領域のうちの認証ＩＤ用の所定領域に記録される。認証ＩＤは、例えば、特定電子アルバムに関連する、特定電子アルバムの識別情報、外部機器側の特定電子アルバムに対応する情報の自動バックアッププログラムの識別情報（プログラム名、シリアル番号など）、特定電子アルバムを提供するメーカの識別情報などのうちの少なくとも１つから構成される。また、認証ＩＤは、少なくとも特定電子アルバムに関することを特定できることればよい。例えば、メモリキー６０が、特定電子アルバムに対応する情報のバックアップ専用であり、当該バックアップ専用のメモリキーの識別情報（シリアル番号など）を認証ＩＤとし、当該バックアップ専用であることが認証ＩＤにより外部機器側で認識できる構成としてもよい。
【００４１】
ＣＤ−Ｒドライブ２８は、ＣＤ−Ｒ方式の記録媒体の情報読出し及び書き込みが可能なドライブである。例えば、特定電子アルバムの記録媒体Ｄ３がＣＤ−Ｒドライブ２８にセットされて、記録媒体Ｄ３の記録領域ｄ３に記録されている情報が読み出される。すると、記録領域ｄ３に記録されている自動起動プログラムがＲＡＭ２３に適宜展開されて、ＣＰＵ２１とＲＡＭ２３内の自動起動プログラムとの協働により自動起動処理が実行される。自動起動処理により、同様にして、記録領域ｄ３に記録されている電子アルバム管理プログラムに基づく電子アルバム管理処理が実行される。電子アルバム管理処理により、記録媒体Ｄ３の記録領域ｄ３に記録された画像データが電子アルバム方式で再生される。また、スライドショープログラム、プリントオーダプログラムが読み出されて、それぞれ、記録領域ｄ３に記録された画像データのスライドショー再生処理、プリント希望する画像データのプリントオーダ処理が実行される。
【００４２】
また、記録媒体Ｄ３の情報読出し速度は、ＨＤＤ２５に比べて遅い。このため、記録媒体Ｄ３に記録された情報をＨＤＤ２５に複製して記憶しておくことで、電子アルバム再生などの各種処理実行時に、記録媒体Ｄ３から情報を毎回読み出す動作を省いて、各種処理の処理速度を向上することができる。また、記録媒体Ｄ３に記録された情報を用いて、ＰＣ２０で独自に作成されるデータは、ＨＤＤ２５に記憶される。ここで、図４を参照して、ＨＤＤ２５に記憶される特定電子アルバムに対応する情報を説明する。図４に、ＨＤＤ２５に記憶される特定電子アルバムに対応するデータのフォルダ構造の一例を示す。
【００４３】
例えば、ＰＣ２０において、ユーザによる操作部２２を介する操作入力により、特定電子アルバムのプレビュー表示のデータが作成されてＨＤＤ２５に記憶される。図４に示すように、記録媒体Ｄ３の記録領域ｄ３に記録された各種画像データがＨＤＤ２５に記憶される。特定電子アルバムに対応する最上位フォルダとしての「Storage」フォルダＲ６が、ＨＤＤ２５の既存のフォルダ構造に付加する形で作成される。「Storage」フォルダＲ６の中に、図２のフォルダＲ１，Ｒ１１，Ｒ１２及びその格納データに基づく、フォルダＲ７，Ｒ７１，Ｒ７１１，Ｒ７１２，Ｒ７２などが構成される。フォルダＲ７の１つ下のフォルダＲ７１，Ｒ７２は、同一ロールで異なる特定電子アルバムに対応するフォルダである。フォルダＲ７１内に、実画像データと、サムネイル画像データのフォルダＲ７１１及びそのサムネイル画像データと、スクリーンネイル画像データのフォルダＲ７１２及びそのスクリーンネイル画像データとが格納される。また、フォルダＲ７１と別の特定電子アルバムのフォルダＲ７２において、フォルダＲ７１と同様の構造により各種画像データが格納される。
【００４４】
また、特定電子アルバムの記録媒体Ｄ３からＨＤＤ２５に複製して記憶される情報は、図４の例に限定されるものではない。例えば、記録媒体Ｄ３内の一部又は全ての情報をＨＤＤ２５に複製して記憶する構成などとしてもよい。また、ＰＣ２側で新たに作成された特定電子アルバムに対応する各種データがＨＤＤ２５に記憶される構成などとしてもよい。ＨＤＤ２５に、特定電子アルバムに対応する情報が、所定のフォルダ構造によって記憶される。
【００４５】
ＰＣ２０のＨＤＤ２５に記憶された特定電子アルバムに対応するデータが、別のＰＣなどの機器には記憶されない場合に、ＨＤＤ２５の故障や破損などによる情報消滅を防ぐために、情報のバックアップをとっておくことが好ましい。
【００４６】
本実施の形態では、ＰＣ２０のＨＤＤ２５に記憶された、特定電子アルバムに対応する情報をメモリキー６０にバックアップする構成を説明する。図５に、メモリキー６０のバックアップの構成を示す。図５に示すように、ＰＣ２０、ＨＤＤレコーダ３０、ホームサーバ４０、ポータブルライタ５０、入力データ記録装置１０は、それぞれＨＤＤを備え、所定のフォルダ構造により特定電子アルバムに対応するデータが当該ＨＤＤに記憶される。メモリキー６０は、ＰＣ２０のみならず、ＨＤＤレコーダ３０、ホームサーバ４０、ポータブルライタ５０、入力データ記録装置１０などの機器に対しても接続可能であり、各機器が保存している、特定電子アルバムに対応する情報をメモリキー６０にバックアップすることが可能である。また、特定電子アルバムに対応する情報は、特定電子アルバム作成時の履歴データなどの、特定電子アルバム作成に関連する情報を含めてもよい。
【００４７】
次に、図６を参照して、本実施の形態におけるＰＣ２０の動作を説明する。図６に、ＰＣ２０において実行される自動バックアップ処理を示す。自動バックアップ処理は、ＰＣ２０において、ＨＤＤ２５に記憶されている、特定電子アルバムに対応する情報をメモリキー６０への自動的にバックアップする処理である。
【００４８】
ＰＣ２０において、Ｉ／Ｆ２４にメモリキー６０が接続されたことをトリガとして、ＣＰＵ２１により、ＨＤＤ２５に記憶されている自動バックアッププログラムが読み出されてＲＡＭ２３に適宜展開され、ＣＰＵ２１とＲＡＭ２３内の自動バックアッププログラムとの協働により、自動バックアップ処理が実行される。自動バックアップ処理の実行の主体を、制御部６１１とする。
【００４９】
先ず、Ｉ／Ｆ２７を介して、メモリキー６０内の認証ＩＤ用の領域に記憶されている情報が読み出される（ステップＳ１１）。そして、メモリキー６０内の認証ＩＤ用の領域に認証ＩＤが記憶されているか否かが判別される（ステップＳ１２）。
【００５０】
認証ＩＤが記憶されている場合（ステップＳ１２；ＹＥＳ）、ＨＤＤ２５から特定電子アルバムに対応する情報が抽出されて特定電子アルバム情報として読み出される（ステップＳ１３）具体的には、例えば、特定電子アルバムに対応する情報として、上位のフォルダ以下の全てのフォルダ及びデータが特定電子アルバム情報として読み出される。さらに具体的には、図４において、ＨＤＤ２５内の全てのフォルダのうちの上位のフォルダから順に参照していき、特定電子アルバムに対応する最上位のフォルダとしての「Storage」フォルダを検索して、「Storage」フォルダ以下のフォルダ及びデータが読み出される。
【００５１】
そして、ステップＳ１３において読み出された特定電子アルバム情報がメモリキー６０に記録されることによりバックアップされ（ステップＳ１４）、自動バックアップ処理が終了される。認証ＩＤが記憶されていない場合（ステップＳ１２；ＮＯ）、Ｉ／Ｆ２７に接続されたメモリキー６０が自動バックアップ先でないとみなされ、自動バックアップ処理が終了される。
【００５２】
以上、本実施の形態によれば、認証ＩＤがメモリキー６０に記録されているか否かが判別され、認証ＩＤがメモリキー６０に記録されている場合に、認証ＩＤに対応する、特定電子アルバムに対応する情報をＨＤＤ２５から読み出してメモリキー６０へ記録するので、特定電子アルバムに対応する情報をＨＤＤ２５から容易に読み出してバックアップが許可されたメモリキー６０へ自動的にバックアップすることができる。
【００５３】
また、本実施の形態によれば、特定電子アルバムに対応する情報が、特定電子アルバムに対応する情報を格納する所定のフォルダ（例えば「Storage」フォルダＲ６）から読み出すので、特定電子アルバムに対応する情報をさらに容易に読み出すことができる。
【００５４】
なお、上記実施の形態において、特定電子アルバムの記録媒体Ｄ２，Ｄ３が記録領域ｄ１，ｄ２，ｄ３を有する構成として説明したが、これに限定されるものではない。特定電子アルバムの記録媒体Ｄ２，Ｄ３は、少なくとも、デフォルトデータが記録され、画像データが記録可能な記録領域ｄ３を有する構成としてもよい。
【００５５】
また、上記実施の形態においては、認証ＩＤが記録媒体としてのメモリキー６０の記録領域に記録される構成としたが、これに限定されるものではない。例えば、認証ＩＤがＩＣタグに記録されて、メモリキー６０に貼り付けられ、情報記録装置としてのＰＣ２に、ＩＣタグの情報読み取り部が設けられ、当該情報読み取り部により記録媒体のＩＣタグの認証情報の読み取りを行う構成としてもよい。
【００５６】
また、上記実施の形態において、情報のバックアップ元の情報記録装置として、ＨＤＤを有する入力データ記録装置１０、ＰＣ２０、ＨＤＤレコーダ３０、ホームサーバ４０及びポータブルライタ５０を説明したが、これに限定されるものではない。例えば、ＨＤＤを有するゲーム機、ＨＤＤナビゲーションなどの画像記録装置としてもよい。また、ＨＤＤに代えて、フラッシュメモリなどの、情報の読み出し及び書き込みが可能な他の記憶部としてもよい。さらに、記憶部は、情報記録装置に内蔵のものだけではなく、外部接続される記憶部としてもよい。
【００５７】
また、上記実施の形態では、情報のバックアップ先の記録媒体をフラッシュメモリによるメモリキー６０としたが、これに限定されるものではない。例えば、メモリキー６０に代えて、フレキシブルディスク、携帯式ハードディスク、ＣＤ−Ｒ、ＤＶＤ−Ｒ、ブルーレイディスクなどの、情報の書き込みが可能な他の記録媒体としてもよい。
【００５８】
また、上記実施の形態においては、特定電子アルバムに対応する情報をメモリキー６０へバックアップさせる構成であったが、これに限定されるものではない。特定電子アルバムに対応する情報に代えて、ある特定の項目に対応する情報をバックアップさせる構成としてもよい。また、特定の項目を複数としてもよい。
【００５９】
また、上記実施の形態における記述は、本発明に係る好適な画像記録装置、記録媒体及びプログラムの一例であり、これに限定されるものではない。
【図面の簡単な説明】
【００６０】
【図１】本発明に係る実施の形態の特定電子アルバム記録システム１００の構成図である。
【図２】記録媒体Ｄ２の構造を示す。（ａ）は記録媒体Ｄ２のフォルダ構造を示す。（ｂ）は記録媒体Ｄ２の記録領域を示す。
【図３】ＰＣ２０の内部構成を示すブロック図である。
【図４】ＨＤＤ２５に記憶される特定電子アルバムに対応する情報のフォルダ構造の一例を示す図である。
【図５】メモリキー６０のバックアップの構成を示す図である。
【図６】ＰＣ２０において実行される自動バックアップ処理を示すフローチャートである。
【符号の説明】
【００６１】
１００  特定電子アルバム記録システム
１０  入力データ記録装置
１１  入力用メディア装填部
１２  入力用記録媒体装填部
１３  機器接続部
１４  出力用記録媒体装填部
１５  表示部
１６  操作部
２０  ＰＣ
２１  ＣＰＵ
２１１  制御部
２２  操作部
２３  ＲＡＭ
２４  表示部
２５  ＨＤＤ
２６  通信部
２７  Ｉ／Ｆ
２８  ＣＤ−Ｒドライブ
１９  バス
３０  ＤＶＤレコーダ
４０  ホームサーバ
５０  ポータブルライタ
６０  メモリキー
Ｎ  通信ネットワーク
Ｍ  記録カード
Ｃ１  デジタルカメラ
Ｃ２  カメラ付き携帯電話機
Ｄ１，Ｄ２，Ｄ３  記録媒体
ｄ１，ｄ２，ｄ３  記録領域
Ｓ  サーバ
【図１】
2005165507.tif 000003
【図２】
2005165507.tif 000004
【図３】
2005165507.tif 000005
【図４】
2005165507.tif 000006
【図５】
2005165507.tif 000007
【図６】
2005165507.tif 000008